(57)【要約】【課題】ビス螺入部にビスを強制螺入する一度の作業だけで長尺ボルトをボルト支持部に回動を防止した状態で固定することができるボルト支持具を提供する。【解決手段】ボルト支持具１０は、軽量形鋼材Ｐのリップ部Ｐｄに固定される固定部１１を備えるとともに、固定部１１から長尺ボルトＶの架設方向へ延びるボルト支持部２２を備える。ボルト支持部２２には架設方向に沿って延び長尺ボルトＶを収納可能な収納溝２３が凹設され、さらに、ボルト支持部２２には、架設方向に直交する方向に沿ってビス４０を螺進させつつ、収納溝２３内にビス４０の軸部４１が突出するようにビス４０を案内させるビス螺入部２９が形成されている。ビス螺入部２９は、軸部４１によって収納溝２３の開口幅が長尺ボルトＶの直径より小さくなるように軸部４１を螺進させる位置に形成されている。【選択図】図６
2010175025.tif 000002
【特許請求の範囲】
【請求項１】
間柱間に架設される長尺ボルトの端部を支持し、該端部を前記間柱に固定するためのボルト支持具であって、
前記間柱の側面に固定される固定部を備えるとともに、該固定部から前記長尺ボルトの架設方向へ延びるボルト支持部を備え、該ボルト支持部に前記架設方向に沿って延び前記長尺ボルトを収納可能な収納溝が凹設され、さらに、前記ボルト支持部に、前記架設方向に交差する方向に沿ってビスを螺進させつつ、前記収納溝内に前記ビスの軸部が突出するように前記ビスを案内させるビス螺入部が形成され、
前記ビス螺入部が、前記軸部によって前記収納溝の開口幅が前記長尺ボルトの直径より小さくなるように前記軸部を螺進させる位置に形成されており、前記ビス螺入部から前記収納溝内に突出する軸部により前記ボルト支持部に前記長尺ボルトが固定されるようにしたボルト支持具。
【請求項２】
前記ボルト支持部には、前記ビス螺入部がスリットを介して前記収納溝に連通するように形成されており、前記ビス螺入部に螺入されたビスにおける軸部の一部が前記スリットから前記収納溝に突出する請求項１に記載のボルト支持具。
【請求項３】
前記ビス螺入部は、前記収納溝に収納された長尺ボルトの架設方向への移動を許容するため、前記固定部から離れた位置に形成されている請求項１又は請求項２に記載のボルト支持具。
【請求項４】
前記間柱の立設方向に前記ビスを螺進可能とするビス螺入部と、前記立設方向に対し直交する横方向に前記ビスを螺進可能とするビス螺入部とを備える請求項１〜請求項３のうちいずれか一項に記載のボルト支持具。
【請求項５】
前記ボルト支持部には、前記軸部の先端部を保持させながら該ビスを立設させるためのビス保持部が設けられている請求項１〜請求項４のうちいずれか一項に記載のボルト支持具。
【発明の詳細な説明】
【技術分野】
【０００１】
本発明は、間柱間に架設される長尺ボルトの端部を支持し、該端部を間柱に固定するためのボルト支持具に関する。
【背景技術】
【０００２】
一般に、軽量間仕切壁は、所定間隔をおいて立設された複数の軽量形鋼材（間柱）の前後両側から軽量形鋼材を挟むように壁材が立設されて形成される。そして、この軽量間仕切壁において、隣り合う軽量形鋼材の間に配線器具を設置する場合には配線ボックスが用いられるとともに、この配線ボックスは、軽量形鋼材間に架設された長尺ボルトに固定される。
【０００３】
長尺ボルトの軽量形鋼材に対する固定は、特許文献１のように、軽量間柱に軽量間柱用長尺ボルト支持具を固定し、この軽量間柱用長尺ボルト支持具によって長尺ボルトを固定することで行われる。特許文献１の軽量間柱用長尺ボルト支持具は、長尺ボルト支持具本体を備える。この長尺ボルト支持具本体は、ネジ穴、長穴及びネジ挿通穴を有し、軽量間柱の開口部の両側において突出した両リップ部外面に当接させて使用される。また、軽量間柱用長尺ボルト支持具は固定板体を備える。この固定板体は、長尺ボルト支持具本体のネジ挿通穴から挿通されたネジを固定するための穴を有し、軽量間柱の両リップ部内面に当接させて使用される。そして、長尺ボルト支持具本体のネジ挿通穴に挿通したネジを、固定板体の穴に固定することによって、長尺ボルト支持具本体と固定板体とで両リップ部を挟持固定することにより、軽量間柱用長尺ボルト支持具が軽量間柱に固定される。
【０００４】
そして、軽量間柱用長尺ボルト支持具が軽量間柱に固定された状態において、この軽量間柱用長尺ボルト支持具に長尺ボルトの端部が回動しないように固定される。これは、長尺ボルトが回動すると、長尺ボルトに固定された配線ボックスや配線・配管材支持具も回動してしまい、回動した配線ボックスや配線・配管材支持具が、後の壁材の立設作業の妨げになってしまうことを防ぐためである。
【０００５】
特許文献１においては、長尺ボルト支持具本体の長穴に挿通された長尺ボルトに対し、予め螺着されている六角ナットを回転させて長尺ボルト支持具本体を表裏両側から六角ナットで締め付けることによって、長尺ボルトが軽量間柱用長尺ボルト支持具に固定される。又は、長尺ボルト支持具本体のネジ穴に長尺ボルトの端部を螺着した後、長尺ボルトに予め螺着した六角ナットを回転させて長尺ボルト支持具本体に締め付けることによって長尺ボルトの端部が固定される。
【先行技術文献】
【特許文献】
【０００６】
【特許文献１】特開平９−３２９１１５号公報
【発明の概要】
【発明が解決しようとする課題】
【０００７】
ところで、特許文献１においては、長尺ボルトの回動を防止するために、ネジ穴と六角ナット、又は２つの六角ナットを用いた構成とし、２度に亘って螺着する作業を行う必要があり面倒であるという問題があった。
【０００８】
本発明は、このような従来の技術に存在する問題点に着目してなされたものであり、その目的は、ビス螺入部にビスを強制螺入する一度の作業だけで長尺ボルトをボルト支持部に回動を防止した状態で固定することができるボルト支持具を提供することにある。
【課題を解決するための手段】
【０００９】
上記問題点を解決するために、請求項１に記載の発明は、間柱間に架設される長尺ボルトの端部を支持し、該端部を前記間柱に固定するためのボルト支持具であって、前記間柱の側面に固定される固定部を備えるとともに、該固定部から前記長尺ボルトの架設方向へ延びるボルト支持部を備え、該ボルト支持部に前記架設方向に沿って延び前記長尺ボルトを収納可能な収納溝が凹設され、さらに、前記ボルト支持部に、前記架設方向に交差する方向に沿ってビスを螺進させつつ、前記収納溝内に前記ビスの軸部が突出するように前記ビスを案内させるビス螺入部が形成され、前記ビス螺入部が、前記軸部によって前記収納溝の開口幅が前記長尺ボルトの直径より小さくなるように前記軸部を螺進させる位置に形成されており、前記ビス螺入部から前記収納溝内に突出する軸部により前記ボルト支持部に前記長尺ボルトが固定されるようにしたことを要旨とする。
【００１０】
請求項２に記載の発明は、請求項１に記載のボルト支持具において、前記ボルト支持部には、前記ビス螺入部がスリットを介して前記収納溝に連通するように形成されており、前記ビス螺入部に螺入されたビスにおける軸部の一部が前記スリットから前記収納溝に突出することを要旨とする。
【００１１】
請求項３に記載の発明は、請求項１又は請求項２に記載のボルト支持具において、前記ビス螺入部は、前記収納溝に収納された長尺ボルトの架設方向への移動を許容するため、前記固定部から離れた位置に形成されていることを要旨とする。
【００１２】
請求項４に記載の発明は、請求項１〜請求項３のうちいずれか一項に記載のボルト支持具において、前記間柱の立設方向に前記ビスを螺進可能とするビス螺入部と、前記立設方向に対し直交する横方向に前記ビスを螺進可能とするビス螺入部とを備えることを要旨とする。
【００１３】
請求項５に記載の発明は、請求項１〜請求項４のうちいずれか一項に記載のボルト支持具において、前記ボルト支持部には、前記軸部の先端部を保持させながら該ビスを立設させるためのビス保持部が設けられていることを要旨とする。
【発明の効果】
【００１４】
本発明によれば、ビス螺入部にビスを強制螺入する一度の作業だけで長尺ボルトをボルト支持部に回動を防止した状態で固定することができる。
【図面の簡単な説明】
【００１５】
【図１】実施形態のボルト支持具、軽量形鋼材、及び配線ボックスを示す斜視図。
【図２】実施形態のボルト支持具を示す斜視図。
【図３】実施形態のボルト支持具を示す図２の３−３線断面図。
【図４】実施形態のボルト支持具を示す断面図。
【図５】ビス螺入部にビスを保持させた状態を示す断面図。
【図６】ビス螺入部にビスを強制螺入した状態を示す部分断面図。
【図７】壁形成片にビスを強制螺入した状態を示す斜視図。
【発明を実施するための形態】
【００１６】
以下、本発明を、間柱としての軽量形鋼材に長尺ボルトを固定するためのボルト支持具に具体化した一実施形態を図１〜図６にしたがって説明する。なお、以下の説明においてボルト支持具及び軽量形鋼材の「上」「下」は、図１に示す矢印Ｙ１の方向を上下方向とし、「左」「右」は、図１に示す矢印Ｙ２の方向を左右方向とし、「前」「後」は、図１に示す矢印Ｙ３の方向を前後方向とする。
【００１７】
図１に示すように、軽量間仕切壁Ｗは、所定間隔をおいて立設された複数の軽量形鋼材Ｐ（図１では軽量型鋼材Ｐを１つだけ図示）の前後両側から軽量形鋼材Ｐを挟むように壁材Ｗａが立設されて形成されている。そして、この軽量間仕切壁Ｗにおいて、隣り合う軽量形鋼材Ｐの間となる位置に配線器具を設置する場合には配線ボックスＢが用いられるとともに、この配線ボックスＢは、軽量形鋼材Ｐ間に架設された長尺ボルトＶに固定される。なお、配線ボックスＢは、前面に開口する有底四角箱状に形成されるとともに、底板の外面には長尺ボルトＶに配線ボックスＢを固定するための固定金具Ｋが取り付けられている。
【００１８】
なお、軽量形鋼材Ｐは、薄鋼板からなり、軽量形鋼材Ｐの立設方向（上下方向）に対して直交する方向への平断面視が略Ｃ字状をなすＣ型鋼である。軽量形鋼材Ｐは、立設方向に延びる開口部Ｐａと、この開口部Ｐａに相対向する背面板部Ｐｂと、この背面板部Ｐｂを挟む一対の側板部Ｐｃと、各側板部Ｐｃから延設されたリップ部Ｐｄとからなる。そして、隣り合う軽量形鋼材Ｐ同士の間には、長尺ボルトＶが架設され、この長尺ボルトＶに配線ボックスＢが固定されるようになっている。長尺ボルトＶの各端部は、隣り合う軽量形鋼材Ｐのうち、一方の軽量形鋼材Ｐの側面としてのリップ部Ｐｄ、及び他方の軽量形鋼材Ｐの側面としての背面板部Ｐｂに固定されたボルト支持具１０それぞれによって支持されるとともに、各ボルト支持具１０によって軽量形鋼材Ｐに固定される。
【００１９】
次に、ボルト支持具１０について説明する。図２に示すように、合成樹脂材料製のボルト支持具１０は、矩形板状をなす固定部１１を備えるとともに、この固定部１１の長辺方向の一端たる一方の短辺（以下、第１短辺１１ａとする）から延設された矩形板状をなす支持部１２を備え、全体として略Ｌ字状に形成されている。支持部１２は、固定部１１に対し直交するように延設されている。よって、図１に示すように、固定部１１が、その裏面を軽量形鋼材Ｐの側面（リップ部Ｐｄ）に当接させて固定された状態では、支持部１２は長尺ボルトＶの架設方向（左右方向）へ延びるようになっている。
【００２０】
図２に示すように、固定部１１の表面において、長辺方向の他端たる他方の短辺（以下、第２短辺１１ｂとする）側には、一定深さだけ固定部１１の表面から凹む凹所１５が形成されるとともに、この凹所１５には固定孔１６が第２短辺１１ｂの延びる方向に沿って３箇所に形成されている。各固定孔１６には、ボルト支持具１０を軽量形鋼材Ｐに固定するための固定ビス３９が挿通可能になっている。
【００２１】
また、固定部１１において、第２短辺１１ｂの端面には固定部１１の長辺方向に対し直交する方向へ延びる押圧部１３が形成されている。押圧部１３は正面視逆Ｃ字状をなす薄板状に形成されるとともに、押圧部１３は固定部１１に対し、押圧部１３の基端から折り取り除去可能に設けられている。固定部１１において、第２短辺１１ｂの延びる方向中央部には矢印１４が設けられるとともに、この矢印１４により第２短辺１１ｂの延びる方向中央部が表示されている。また、３つ形成された固定孔１６のうち中央の固定孔１６は、矢印１４と対応する位置に形成されている。
【００２２】
支持部１２の表面には、一対の壁部２０が上下方向に間隔を空けて立設されるとともに、一対の壁部２０と、支持部１２とから略横Ｕ字状をなすボルト支持部２２が形成されている。両壁部２０の内面と、支持部１２の表面によって囲まれた空間には、長尺ボルトＶを収納可能とする収納溝２３が形成されている。そして、図１に示すように、固定部１１が、その裏面を軽量形鋼材Ｐの側面（リップ部Ｐｄ）に当接させて固定された状態では、収納溝２３は長尺ボルトＶの架設方向（左右方向）に沿って延びる細溝状に形成されるとともに、収納溝２３は架設方向の両端（左右方向の両端）に開口している。また、一対の壁部２０の内面間の間隔、すなわち収納溝２３の上下方向に沿った開口幅は、長尺ボルトＶの直径より僅かに大きくなっている。
【００２３】
図２に示すように、両壁部２０において、長尺ボルトＶの架設方向に延びる収納溝２３の開口側、すなわち、両壁部２０の前端面における中央部同士は、一対の連結片２４によって連結されている。一対の連結片２４は、長尺ボルトＶの架設方向（左右方向）に間隔を空けるように形成されている。また、一対の連結片２４同士は略Ｃ字状をなす壁形成片２５によって連結されている。なお、壁形成片２５の内面によって形成される円弧の円における半径は、ビス４０の軸部４１における半径より僅かに小さくなっている。
【００２４】
さらに、両壁部２０における左右方向中央部それぞれには溝２６が各壁部２０の前面から凹むように形成されている。そして、溝２６それぞれから壁形成片２５の内側にビス４０を挿入可能になっている。壁形成片２５の内側に挿入されたビス４０は、軸部４１が連結片２４同士の間に配設されるとともに、収納溝２３内に露出するようになっている。そして、連結片２４及び壁形成片２５は、ビス４０における軸部４１の先端部を保持するビス保持部を形成するとともに、収納溝２３内にビス４０の軸部４１が突出するようにビス４０の螺進を案内するビス螺入部を形成している。連結片２４及び壁形成片２５よりなるビス螺入部は、軽量形鋼材Ｐの立設方向へビス４０を螺進可能とするビス螺入部である。
【００２５】
各壁部２０の左右両側それぞれには、外方に向けて半円状に膨出する膨出部２７が形成されている。各壁部２０の前面には、各膨出部２７に跨るように収容凹所２７ａが凹設されている。各収容凹所２７ａの内底面それぞれには、各壁部２０を前後方向に貫通するビス螺入部２９が形成されるとともに、このビス螺入部２９にはビス４０の軸部４１が強制螺入されるようになっている。図３及び図４に示すように、ビス螺入部２９は、壁部２０の前側寄りに形成された第１螺入部２９ａと、この第１螺入部２９ａより後側に形成された第２螺入部２９ｂとから形成されている。
【００２６】
第１螺入部２９ａ及び第２螺入部２９ｂそれぞれは、円孔に近い円弧状に形成されるとともに一部が収納溝２３に連通するように形成されている。第１螺入部２９ａ及び第２螺入部２９ｂの円弧を形成する円の半径は同じに形成されている。この第１螺入部２９ａ及び第２螺入部２９ｂの円弧を形成する円の半径は、軸部４１の半径より僅かに小さく形成されている。
【００２７】
また、第１螺入部２９ａと第２螺入部２９ｂとは、ビス螺入部２９の貫通方向（前後方向）において位置ずれして形成されている。すなわち、第１螺入部２９ａは、第２螺入部２９ｂよりも収納溝２３から退いた位置に形成されている。言い換えると、第２螺入部２９ｂは、第１螺入部２９ａよりも収納溝２３に近づいた位置に形成されている。このため、ビス螺入部２９には、第１螺入部２９ａと第２螺入部２９ｂとの境界に段差２９ｃが形成されている。なお、収納溝２３内に収納された長尺ボルトＶを支持部１２の表面に当接させたとき、段差２９ｃは長尺ボルトＶの最大直径に位置する長尺ボルトＶの周面よりも前側に位置している。
【００２８】
また、ボルト支持部２２の内面には、両壁部２０の内面、及び支持部１２の表面に跨るように略横Ｕ字状に延びるスリット３１が２箇所に形成されている。このスリット３１は、ビス螺入部２９それぞれを収納溝２３内に向けて開口させるとともに、上下に対向するビス螺入部２９がスリット３１を介して連通している。ここで、ビス螺入部２９それぞれは、第２螺入部２９ｂが、第１螺入部２９ａより収納溝２３に近づいた位置に形成されている。このため、第１螺入部２９ａと対向する位置でのスリット３１の開口幅は、第２螺入部２９ｂと対向する位置でのスリット３１の開口幅より狭くなっている。
【００２９】
そして、ビス螺入部２９は、長尺ボルトＶの架設方向に交差する方向に沿ってビス４０を螺進させつつ、収納溝２３内にビス４０の軸部４１が突出するようにビス４０を案内させる。また、ビス螺入部２９は、ビス螺入部２９に軸部４１が強制螺入されたとき、軸部４１によって収納溝２３の開口幅が長尺ボルトＶの直径より小さくなるように軸部４１を螺進させる位置に形成されている。なお、ビス螺入部２９は、軽量形鋼材Ｐの立設方向に対し直交する横方向にビス４０を螺進可能とするビス螺入部であり、ボルト支持具１０は、上述の軽量形鋼材Ｐの立設方向へビス４０を螺進可能とするビス螺入部も備えるため、２つのビス螺入部を備えている。
【００３０】
次に、ボルト支持具１０を用いて軽量形鋼材Ｐに長尺ボルトＶの端部を支持させる方法について説明する。
なお、図２に示すように、ボルト支持具１０において、一対の壁部２０のうち、下側に位置する壁部２０に形成されたビス螺入部２９であり、かつ固定部１１から遠い側のビス螺入部２９にビス４０の先端部が保持されているものとする。このとき、図５に示すように、ビス４０は、軸部４１の先端部が、ビス螺入部２９の段差２９ｃに当接するまで第１螺入部２９ａに強制螺入され、ボルト支持部２２に保持されている。また、隣り合う軽量形鋼材Ｐは、一方の軽量形鋼材Ｐのリップ部Ｐｄに対し、他方の軽量形鋼材Ｐの背面板部Ｐｂが対向するように立設されているものとする。
【００３１】
さて、隣り合う軽量形鋼材Ｐのうち、一方の軽量形鋼材Ｐに対しては、固定部１１の裏面を、その軽量形鋼材Ｐの側面（リップ部Ｐｄ）に当接させるとともに、押圧部１３の裏面を、リップ部Ｐｄに直交する側板部Ｐｃに当接させる。すると、固定部１１における第２短辺１１ｂが、側板部Ｐｃと面一となるように位置決めされる。そして、押圧部１３を把持しながら、ドライバー（工具）を用いて固定孔１６からリップ部Ｐｄに固定ビス３９を強制螺入する。すると、図６に示すように、リップ部Ｐｄに固定部１１が固定されるとともに、ボルト支持具１０が軽量形鋼材Ｐに固定される。なお、隣り合う軽量形鋼材Ｐにおいて、他方の軽量形鋼材Ｐに対しては、固定部１１の裏面を、その軽量形鋼材Ｐの背面板部Ｐｂに当接させた状態でボルト支持具１０を固定し、隣り合う軽量形鋼材Ｐ同士でボルト支持具１０同士を対向させる。また、ボルト支持具１０を軽量形鋼材Ｐに固定した後、押圧部１３は固定部１１から折り取り除去する。
【００３２】
次に、長尺ボルトＶの両端部それぞれをボルト支持具１０の収納溝２３に収納する。このとき、長尺ボルトＶは、収納溝２３の延びる方向、すなわち架設方向に沿って移動させ、収納溝２３の側方から収納溝２３内に収納する。そして、ビス４０は、第１螺入部２９ａに強制螺入されており、第２螺入部２９ｂにまでは強制螺入されていないため、ビス４０の軸部４１が長尺ボルトＶの収納の妨げになることがない。
【００３３】
そして、両ボルト支持具１０のボルト支持部２２に長尺ボルトＶの両端部を支持させた状態で、ドライバー（工具）を用いてビス４０をビス螺入部２９に強制螺入してビス４０の頭部を収容凹所２７ａの内底面に当接させるとともに、頭部を収容凹所２７ａ内に収容させる。すると、軸部４１が第１螺入部２９ａから第２螺入部２９ｂの内周面に係合するとともに、スリット３１を介して軸部４１の一部が収納溝２３内に向けて突出する。このとき、第１螺入部２９ａよりも第２螺入部２９ｂの方が収納溝２３に近づいた位置に形成されているため、第２螺入部２９ｂからの方が軸部４１の収納溝２３内への突出量が多くなっている。
【００３４】
そして、軸部４１が収納溝２３内に突出することによって、収納溝２３の開口幅がビス４０の螺入前に比べて狭くなるとともに、長尺ボルトＶの直径より小さくなる。すると、ビス４０の軸部４１が長尺ボルトＶの周面に係合するとともに、ビス４０によって長尺ボルトＶの周面が壁部２０（ボルト支持部２２）の内面に向けて押し付けられ、長尺ボルトＶの周面も僅かに壁部２０の内面に係合する。ビス４０の軸部４１のほとんどはビス螺入部２９の内面に係合しているため、ビス４０が、長尺ボルトＶの架設方向へ移動することが防止される。そして、移動防止されたビス４０の軸部４１が長尺ボルトＶの周面に係合するとともに、長尺ボルトＶの周面が壁部２０の内面に係合するように押し付けられているため、長尺ボルトＶそのものも架設方向へ移動することが防止され、さらに、長尺ボルトＶが回動することが防止される。
【００３５】
また、両壁部２０は連結片２４によって連結され、連結片２４によって収納溝２３の開口一部が閉鎖されている。このため、収納溝２３内の長尺ボルトＶが収納溝２３の前面側へ抜け出ることが防止される。その結果、一対のボルト支持具１０により軽量形鋼材Ｐ間に長尺ボルトＶが架設され、各ボルト支持具１０により長尺ボルトＶの両端部が軽量形鋼材Ｐに固定される。
【００３６】
その後、長尺ボルトＶに配線ボックスＢを固定する。このとき、ボルト支持部２２に固定された長尺ボルトＶの前端から固定部１１の第２短辺１１ｂまでの長さは、配線ボックスＢの前後方向への長さと同じになっている。このため、長尺ボルトＶに配線ボックスＢが固定された状態では、固定部１１の第２短辺１１ｂ側端面と、配線ボックスＢの開口端（前面）とが同一平面上に位置する。すなわち、長尺ボルトＶに配線ボックスＢが固定された状態では、配線ボックスＢの開口端が軽量形鋼材Ｐの側板部Ｐｃ外面と同一平面上に位置する。さらに、軽量形鋼材Ｐの前後両側に壁材Ｗａが立設されて軽量間仕切壁Ｗが構築されるとともに、軽量間仕切壁Ｗ内に配線ボックスＢが設置される。
【００３７】
上記実施形態によれば、以下のような効果を得ることができる。
（１）ボルト支持具１０のボルト支持部２２には、固定部１１を軽量形鋼材Ｐの側面に固定した状態で長尺ボルトＶの架設方向へ延びる収納溝２３が形成されるとともに、この収納溝２３内にビス４０の軸部４１を突出させつつ、長尺ボルトＶの架設方向に直交する方向へビス４０を螺進させるビス螺入部２９が形成されている。そして、ビス螺入部２９にビス４０を強制螺入すると、ビス４０を収納溝２３内の長尺ボルトＶの周面に係合させることができる。したがって、ビス４０をビス螺入部２９に強制螺入する一度の作業だけで長尺ボルトＶをボルト支持部２２に回動を防止した状態で固定することができる。
【００３８】
（２）ビス螺入部２９は、長尺ボルトＶの架設方向に直交する方向へ延びるように略孔状に形成されるとともに、第１螺入部２９ａ及び第２螺入部２９ｂそれぞれの半径が軸部４１の半径より僅かに小さく形成されている。そして、ビス螺入部２９に軸部４１を強制螺入することにより、ビス螺入部２９の内面に軸部４１が係合し、ビス４０の軸部４１のほぼ全体が保持される。このため、長尺ボルトＶに、その架設方向への力が作用しても、ビス螺入部２９によるビス４０の保持により、ビス４０が長尺ボルトＶの架設方向へ移動することが防止され、ビス４０の軸部４１が長尺ボルトＶの周面に係合した状態、及びビス４０によって長尺ボルトＶがボルト支持部２２の内面に押し付けられた状態が維持される。その結果、長尺ボルトＶの架設方向への移動を確実に防止することができる。
【００３９】
（３）ビス螺入部２９は、長尺ボルトＶの架設方向に直交する方向へ貫通する略孔状に形成されるとともに、ビス螺入部２９はスリット３１を介して収納溝２３に連通している。このため、ビス螺入部２９にビス４０を強制螺入すると、スリット３１を介して軸部４１の一部を収納溝２３内に突出させることができる。したがって、ビス螺入部２９によってビス４０を、長尺ボルトＶの架設方向に直交する方向へ螺進するように案内しつつ、軸部４１の一部を収納溝２３内に突出させることができる。その結果として、ビス４０をビス螺入部２９に強制螺入すると同時に、ビス４０の軸部４１を長尺ボルトＶの周面に係合させることができるとともに、ビス４０によって長尺ボルトＶの周面をボルト支持部２２の内面に係合させることができる。
【００４０】
（４）ボルト支持部２２には、長尺ボルトＶの架設方向に沿ってビス螺入部２９が２箇所に形成されている。このため、一方のビス螺入部２９は、長尺ボルトＶの架設方向において、固定部１１から他方のビス螺入部２９を介した位置にあり、他方のビス螺入部２９を形成した分だけ固定部１１から離れた位置に形成されている。よって、一方のビス螺入部２９にビス４０を強制螺入して長尺ボルトＶを固定するようにすれば、長尺ボルトＶは端部が軽量形鋼材Ｐのリップ部Ｐｄに当接するまで、収納溝２３内で移動させることができる。したがって、隣り合う軽量形鋼材Ｐにボルト支持具１０を固定し、長尺ボルトＶの長さが対向するボルト支持部２２間の長さより若干長い場合には、一方の収納溝２３に長尺ボルトＶの一端部を挿入した後、収納溝２３内で長尺ボルトＶを移動させることで、他方の収納溝２３に長尺ボルトＶの他端側を挿入させることができる。また、長尺ボルトＶを両ボルト支持具１０に支持させた後、長尺ボルトＶを移動させることで、配線ボックスＢの配置位置の調節を行うことができる。
【００４１】
（５）ビス螺入部２９は、収納溝２３の開口側（前側）の第１螺入部２９ａと、この第１螺入部２９ａより後側の第２螺入部２９ｂとを備え、第１螺入部２９ａと第２螺入部２９ｂとが位置ずれして形成されることにより、第１螺入部２９ａと第２螺入部２９ｂとの境界に段差２９ｃが形成されている。そして、第１螺入部２９ａに軸部４１を強制螺入するとともに、段差２９ｃに軸部４１を当接させることで、軸部４１の先端部を第１螺入部２９ａに保持させた状態でボルト支持部２２に立設させることができるとともに、ボルト支持具１０にビス４０を一体にすることができる。したがって、ボルト支持具１０に長尺ボルトＶを固定する場合、収納溝２３内に長尺ボルトＶを収納した後、第１螺入部２９ａに保持されたビス４０をそのまま第２螺入部２９ｂに強制螺入することができる。よって、例えば、ボルト支持具１０とビス４０とが別体にされて長尺ボルトＶをボルト支持具１０に固定する際に、ビス４０を取り出してくる場合と比較して、長尺ボルトＶの固定作業を速やかに行うことができる。
【００４２】
（６）ビス螺入部２９は、収納溝２３の開口側（前側）の第１螺入部２９ａと、この第１螺入部２９ａより後側の第２螺入部２９ｂとを備え、第１螺入部２９ａと第２螺入部２９ｂの境界に段差２９ｃが形成されている。また、収納溝２３に長尺ボルトＶを収納するとともに、長尺ボルトＶの周面を支持部１２の表面に当接させた場合、段差２９ｃは、壁部２０の内面に当接する長尺ボルトＶの周面より前面側（収納溝２３の開口側）に位置している。そして、第１螺入部２９ａに軸部４１を強制螺入した際、段差２９ｃに軸部４１が当接することで、軸部４１が第２螺入部２９ｂへ強制螺入されることが規制され、第２螺入部２９ｂから収納溝２３内に軸部４１が突出することが防止される。よって、長尺ボルトＶを、その架設方向に沿って収納溝２３に挿入した場合、軸部４１が長尺ボルトＶに接触することが防止され、収納溝２３への長尺ボルトＶの挿入作業を容易に行うことができる。
【００４３】
（７）ボルト支持部２２を形成する両壁部２０の前面同士には、連結片２４が架設され、連結片２４によって収納溝２３の開口一部が閉鎖されている。このため、収納溝２３に収納された長尺ボルトＶは、連結片２４によって収納溝２３の前面側から抜け出ることが防止される。
【００４４】
（８）ボルト支持具１０は、ドライバー（工具）を用いて固定ビス３９を軽量形鋼材Ｐに強制螺入することで軽量形鋼材Ｐに固定され、長尺ボルトＶは、ドライバー（工具）を用いてビス４０をビス螺入部２９に強制螺入することでボルト支持部２２に固定される。よって、ボルト支持具１０を用いた長尺ボルトＶの軽量形鋼材Ｐへの固定は、ドライバー（工具）一つだけで行うことができる。これに対し、特許文献１の軽量間柱用長尺ボルト支持具は、ドライバー（工具）を用いて、長尺ボルト支持具本体のネジ挿通穴に挿通したネジを固定板体の穴に螺入することで軽量間柱に固定され、長尺ボルトは、スパナ（工具）を用いて六角ナットを回転させることで軽量間柱用ボルト支持具に固定される。よって、特許文献１の軽量間柱用長尺ボルト支持具を用いた長尺ボルトの軽量間柱への固定は、ドライバーとスパナの２つの工具を使用しなければならない。したがって、本実施形態のボルト支持具１０は、特許文献１と異なり、一つの工具だけで長尺ボルトＶを固定することができ、長尺ボルトＶの固定作業を簡単に行うことができる。
【００４５】
なお、上記実施形態は以下のように変更してもよい。
○  図７に示すように、溝２６の上方から連結片２４の間、及び壁形成片２５の内側に軸部４１の先端部を強制螺入し、連結片２４と壁形成片２５の間にビス４０を保持させるとともに、このビス４０を、さらに強制螺入して長尺ボルトＶをボルト支持部２２に固定してもよい。この場合、連結片２４及び壁形成片２５がビス保持部、及びビス螺入部を構成する。このように構成すると、ビス４０は、軽量形鋼材Ｐの立設方向に沿ってビス螺入部に強制螺入される。すなわち、ビス４０をボルト支持具１０の上方からビス保持部に強制螺入することができる。よって、軽量形鋼材Ｐの前側に壁材Ｗａが立設された後であっても、ボルト支持具１０に長尺ボルトＶを固定する場合、ボルト支持具１０の上方からビス４０の強制螺入作業を行うことができる。また、壁材Ｗａの立設前であっても、ボルト支持具１０の前方に障害物があっても、ビス４０の強制螺入作業を行うことができる。
【００４６】
○  ビス螺入部２９において、第１螺入部２９ａを収納溝２３側に近づけて第１螺入部２９ａと第２螺入部２９ｂとが一繋ぎになるように形成して、ビス螺入部２９を段差２９ｃの存在しないように形成してもよい。
【００４７】
○  ボルト支持部２２に形成するビス螺入部２９を、長尺ボルトＶの架設方向において１つだけにしてもよく、３つ以上形成してもよい。
○  実施形態のビス螺入部２９を削除するとともに、収納溝２３の上下方向への開口幅を拡大し、収納溝２３に収納した長尺ボルトＶの周面と、この周面に対向するボルト支持部２２の内面との間に軸部４１の直径より僅かに小さい隙間が形成されるようにしてもよい。そして、この隙間にビス４０の軸部４１を強制螺入し、軸部４１を収納溝２３内に突出させるとともに収納溝２３の開口幅を長尺ボルトＶの直径より小さくさせる。その結果、ビス４０の強制螺入によってビス４０の軸部４１がボルト支持部２２の内面に係合するとともに、長尺ボルトＶがボルト支持部２２の内面に押し付けられて（係合して）長尺ボルトＶがボルト支持部２２に固定される。この場合、隙間が、長尺ボルトＶの架設方向に対し交差する方向に沿ってビス４０を螺入させるビス螺入部になる。
【００４８】
○  隣り合う軽量形鋼材Ｐ間に長尺ボルトＶを架設する場合、一方の軽量形鋼材Ｐのみにボルト支持具１０を固定し、長尺ボルトＶの一端部をボルト支持具１０によって支持し、軽量形鋼材Ｐに固定する一方で、長尺ボルトＶの他端部を、他方の軽量形鋼材Ｐに形成した透孔に挿通するだけにしてもよい。又は、複数本の軽量形鋼材Ｐ間に長尺ボルトＶを架設する場合、両側に位置する２本の軽量形鋼材Ｐそれぞれにボルト支持具１０を固定し、各ボルト支持具１０によって長尺ボルトＶの両端部を支持し、固定し、両側の軽量形鋼材Ｐ間に立設された軽量形鋼材Ｐに対しては長尺ボルトＶを貫通させるだけとしてもよい。
【００４９】
○  ボルト支持部２２における連結片２４、及び壁形成片２５を削除し、収納溝２３の前面側全体を開口させてもよい。この場合、長尺ボルトＶを収納溝２３の前面側から収納溝２３内に収納することができる。
【００５０】
○  軽量形鋼材Ｐ間に長尺ボルトＶを架設する場合、長尺ボルトＶが比較的短いものである場合は、長尺ボルトＶの一端部をボルト支持具１０によって軽量形鋼材Ｐに固定し、長尺ボルトＶの他端部を固定せずに自由端としてもよい。
【００５１】
○  間柱は、軽量形鋼材Ｐ以外のものとして、例えば、木柱であってもよい。
○  軽量形鋼材Ｐの側面として、側板部Ｐｃにボルト支持具１０を固定して長尺ボルトＶを支持、固定してもよい。
【符号の説明】
【００５２】
Ｐ…間柱としての軽量形鋼材、Ｐｂ…側面としての背面板部、Ｐｄ…側面としてのリップ部、Ｖ…長尺ボルト、１０…ボルト支持具、１１…固定部、２２…ボルト支持部、２３…収納溝、２４…ビス螺入部及びビス保持部を形成する連結片、２５…ビス螺入部及びビス保持部を形成する壁形成片。２９…ビス螺入部、２９ａ…ビス保持部としての第１螺入部、３１…スリット、４０…ビス、４１…軸部。
【図１】
2010175025.tif 000003
【図２】
2010175025.tif 000004
【図３】
2010175025.tif 000005
【図４】
2010175025.tif 000006
【図５】
2010175025.tif 000007
【図６】
2010175025.tif 000008
【図７】
2010175025.tif 000009